(57)【要約】【課題】ドレン水の量の多少に関わらず、ドレン水をドレン排水路から円滑に流出させることができるドレン排水溝材を提供すること。【解決手段】床シート３と縁部同士を当接又は接合させて床２に貼着される帯状体４と、この帯状体４に着脱自在に配設され、装着時に帯状体４の最大厚さと略同じ高さとなる覆蓋５とからなり、帯状体４の表面の幅方向の略中央の長手方向に、覆蓋５の装着部を兼ねたドレン排水路４１を形成し、このドレン排水路４１の底面に幅０．５〜２ｍｍの複数の直線状の小溝４２を、０．５〜５ｍｍの間隔で、長手方向に形成する。【選択図】図１
2007315121.tif 000002
【特許請求の範囲】
【請求項１】
床シートと縁部同士を当接又は接合させて床に貼着される帯状体と、該帯状体に着脱自在に配設され、装着時に帯状体の最大厚さと略同じ高さとなる覆蓋とからなり、前記帯状体の表面の幅方向の略中央の長手方向に、覆蓋の装着部を兼ねたドレン排水路を形成し、該ドレン排水路の底面に幅０．５〜２ｍｍの複数の直線状の小溝を、０．５〜５ｍｍの間隔で、長手方向に形成したことを特徴とするドレン排水溝材。
【請求項２】
帯状体の最大厚さが、床シートの厚みの３倍を越えないことを特徴とする請求項１記載のドレン排水溝材。
【請求項３】
ドレン排水路の底面を、横断面で所定の曲率で下方に湾曲させたことを特徴とする請求項１又は２記載のドレン排水溝材。
【請求項４】
帯状体及び／又は覆蓋を熱可塑性樹脂で形成したことを特徴とする請求項１、２又は３記載のドレン排水溝材。
【請求項５】
少なくともドレン排水路の小溝の内面に親水性及び／又は防汚性機能剤を付与したことを特徴とする請求項１、２、３又は４記載のドレン排水溝材。
【請求項６】
親水性及び／又は防汚性機能剤を含有する塗膜を形成したことを特徴とする請求項５記載のドレン排水溝材。
【請求項７】
帯状体を層構成とし、表面層を親水性及び／又は防汚性機能剤を含有する合成樹脂で形成したことを特徴とする請求項１、２、３又は４記載のドレン排水溝材。
【請求項８】
帯状体と覆蓋とに、互いに嵌合する係止部を形成したことを特徴とする請求項１、２、３、４、５、６又は７記載のドレン排水溝材。
【発明の詳細な説明】
【技術分野】
【０００１】
本発明は、廊下や踊り場の床面で、床材間又は床材と側壁間に床材と略同じ厚みで隙間なく直接取り付けることのできるドレン排水溝材に関し、特に、ドレン水量の多少に関わらず、ドレン水をドレン排水路から円滑に流出させ且つその周辺をドレン水で汚すことのないドレン排水溝材に関するものである。
【背景技術】
【０００２】
従来から廊下の床面に直接取り付けることのできるドレン排水溝材の形態は多種多様にあり、これらは、マンション、その廊下、ベランダ、階段とその踊り場等で、室内のヒートポンプ式冷暖房機等の機器から排出されるドレン水を速やかに外部に排出する資材として多方面に亘り数多く使用され、その使用目的を果たしている。
【０００３】
近年、マンション等の各種コンクリート集合住宅のほとんどでは、屋外廊下に面する住戸居室にもヒートポンプ式冷暖房機の設置が益々要求されており、そのドレン水は美観を減じ、その排水対策は今や不可欠となっている。このドレン排水対策については、屋外廊下の床コンクリートに溝を掘り、この溝にパイプを埋設するなどの手段があるが、コンクリート躯体のクラック発生要因ともなり、その施工が複雑で工事費や工事管理費が割高になるという問題があった。
【０００４】
そこで、例えば、特許文献１に開示されるように、屋外廊下に床シートを敷設する一方、この屋外廊下用床シートと略等しい厚さを有し、該床シートとともに屋外廊下の床に貼着される帯状貼着板の表面に、幅方向の略中央に長手方向に浅溝のドレン排水路を形成し、縁部を前記床シートの縁部と当接又は接合するようにしたドレン排水溝材が提案されている。
このドレン排水溝材は、ドレン排水溝材を床コンクリートに貼着するだけで、ドレン排水路を設けることができるため、コンクリート躯体に欠損を生じず、また、施工が簡単で工事管理も容易であることから、工事費や工事管理費を低減できるメリットを有している。
しかしながら、上記従来のドレン排水溝材は、ビニル系、オレフィン系等の合成樹脂により構成されており、ドレン排水路においても撥水性を呈することから、ドレン水が表面張力により隆起して水滴状となり、ドレン水が少量の場合には、ドレン水がドレン排水路から流出しにくく、一方、ドレン水が多量の場合には、ドレン水がドレン排水路から溢れ出てしまうという問題があった。
また、長期間に亘って、ドレン水がドレン排水路から流出せずに滞留するため、水垢が生じる等の問題もあった。
【特許文献１】特許第２９６６３５２号公報
【発明の開示】
【発明が解決しようとする課題】
【０００５】
本発明は、上記従来のドレン排水溝材の有する問題点に鑑み、ドレン水の量の多少に関わらず、ドレン水をドレン排水路から円滑に流出させることができるドレン排水溝材を提供することを目的とする。
【課題を解決するための手段】
【０００６】
上記目的を達成するため、本発明のドレン排水溝材は、床シートと縁部同士を当接又は接合させて床に貼着される帯状体と、該帯状体に着脱自在に配設され、装着時に帯状体の最大厚さと略同じ高さとなる覆蓋とからなり、前記帯状体の表面の幅方向の略中央の長手方向に、覆蓋の装着部を兼ねたドレン排水路を形成し、該ドレン排水路の底面に幅０．５〜２ｍｍの複数の直線状の小溝を、０．５〜５ｍｍの間隔で、長手方向に形成したことを特徴とする。
【０００７】
この場合において、帯状体の最大厚さが、床シートの厚みの３倍を越えないようにすることができる。
【０００８】
また、ドレン排水路の底面を、横断面で所定の曲率で下方に湾曲させることができる。
【０００９】
また、帯状体及び／又は覆蓋を熱可塑性樹脂で形成することができる。
【００１０】
また、少なくともドレン排水路の小溝の内面に親水性及び／又は防汚性機能剤を付与することができる。
【００１１】
また、親水性及び／又は防汚性機能剤を含有する塗膜を形成することができる。
【００１２】
また、帯状体を層構成とし、表面層を親水性及び／又は防汚性機能剤を含有する合成樹脂で形成することができる。
【００１３】
また、帯状体と覆蓋とに、互いに嵌合する係止部を形成することができる。
【発明の効果】
【００１４】
本発明のドレン排水溝材は、床シートと縁部同士を当接又は接合させて床に貼着される帯状体と、該帯状体に着脱自在に配設され、装着時に帯状体の最大厚さと略同じ高さとなる覆蓋とからなり、前記帯状体の表面の幅方向の略中央の長手方向に、覆蓋の装着部を兼ねたドレン排水路を形成し、該ドレン排水路の底面に幅０．５〜２ｍｍの複数の直線状の小溝を、０．５〜５ｍｍの間隔で、長手方向に形成することにより、ドレン排水路に流入したドレン水の水滴が小溝によって連なりながら速やかに排出されることから、ドレン水の量の多少に関わらず、ドレン水をドレン排水路から円滑に流出させることができる。
【００１５】
また、帯状体の最大厚さが、床シートの厚みの３倍を越えないようにすることにより、ドレン排水溝材を配設した箇所と床シートとの接続部をなだらかにすることができ、使用時に人が蹴躓く等の事故を防止することができる。
【００１６】
また、ドレン排水路の底面を、横断面で所定の曲率で下方に湾曲させることにより、ドレン排水路に流入したドレン水の水滴がドレン排水路の下部に集まるため排水されやすくなり、ドレン水をドレン排水路から一層円滑に流出させることができる。
【００１７】
また、帯状体及び／又は覆蓋を熱可塑性樹脂で形成することにより、床シートと接合しやすく、施工を簡易に行うことができる。
【００１８】
また、親水性及び／又は防汚性機能剤を含有する塗膜を形成すること等によって、少なくともドレン排水路の小溝の内面に親水性及び／又は防汚性機能剤を付与するようにしたり、帯状体を層構成とし、表面層を親水性及び／又は防汚性機能剤を含有する合成樹脂で形成することにより、低コストで、ドレン水をドレン排水路から一層円滑に流出させることができるようにしたり、ドレン排水路、特に、小溝に汚れや水垢が付着することを防止することができる。
【００１９】
また、帯状体と覆蓋とに、互いに嵌合する係止部を形成することにより、帯状体に対する覆蓋の一体性を向上でき、使用時に覆蓋が外れる等の事故を防止することができる。
【発明を実施するための最良の形態】
【００２０】
以下、本発明のドレン排水溝材の実施の形態を、図面に基づいて説明する。
【実施例１】
【００２１】
図１〜図２に、本発明のドレン排水溝材の一実施例を示す。
【００２２】
このドレン排水溝材１は、廊下やベランダの床２に貼着される合成樹脂、リノリューム、ゴム等からなる床シート３と縁部同士を当接又は接合させて床２に貼着される帯状体４と、この帯状体４に着脱自在に配設され、装着時に帯状体４の最大厚さと略同じ高さとなる覆蓋５とからなり、帯状体４の表面の幅方向の略中央の長手方向に、覆蓋５の装着部を兼ねたドレン排水路４１を形成し、このドレン排水路４１の底面に幅０．５〜２ｍｍ（本実施例においては、１ｍｍ）の複数の直線状の小溝４２を、０．５〜５ｍｍ（本実施例においては、４ｍｍ）の間隔で、長手方向に形成するようにしている。
これにより、ドレン排水路４１に流入したドレン水の水滴が小溝４２によって（幅０．５〜２ｍｍの小溝４２の一種の毛細管現象によって）連なりながら速やかに排出されることから、ドレン水の量の多少に関わらず、ドレン水をドレン排水路４１から円滑に流出させることができる。
【００２３】
この場合において、帯状体４の最大厚さは、床シートの厚みの３倍を越えないようにすることが好ましく、また、帯状体４の最大厚さの絶対値としては、１０ｍｍ以下、好ましくは、８ｍｍ以下、より好ましくは、６ｍｍ以下（本実施例においては、５．５ｍｍ）に設定するようにする。
これより、ドレン排水溝材１を配設した箇所と床シート３との接続部をなだらかに形成することができ、使用時に人が蹴躓く等の事故を防止することができる。
【００２４】
覆蓋５は、装着時に帯状体４の最大厚さと略同じ高さとなるように、上面を平坦（又はなだらかなアーチ状）に形成するとともに、覆蓋５を帯状体４に装着したときに、ドレン排水路４１の底面に接地する脚部５１を形成するようにする。
また、覆蓋５の上面には、必要に応じて、滑り止めのために、幅０．５〜５ｍｍ（本実施例においては、２ｍｍ）の複数の直線状の突条５２を、５〜１０ｍｍ（本実施例においては、７．５ｍｍ）の間隔で、長手方向に形成することができる。
【００２５】
帯状体４と覆蓋５とは、対向する側面（帯状体４のドレン排水路４１の内側面及び覆蓋５の脚部５１の外側面）互いに嵌合する係止部４３、５３（本実施例においては、波形リブ同士の嵌合であり、このような嵌合、係止状態は、合成樹脂の弾性変形によって実現される。）をそれぞれ形成するようにする。
これにより、帯状体４に対する覆蓋５の一体性を向上でき、使用時に覆蓋５が外れる等の事故を防止することができる。
なお、帯状体４に対する覆蓋５の一体性を一層向上するために、図３（ａ）、（ｂ）に示す第１変形実施例のように、抜け止め形状の係止部４４ａ、５４ａ、４４ｂ、５４ｂをそれぞれ形成するようにすることもできる。
【００２６】
覆蓋５の脚部５１は、帯状体４に装着したときに、ドレン排水路４１の底面に接地する脚部５１を形成するようにすることにより、歩行者が覆蓋５を踏んでも覆蓋５がドレン排水路４１内に陥没しないようにしているが、例えば、覆蓋５の幅方向の寸法が大きい場合等で覆蓋５の強度が不足する場合には、図４に示す第２変形実施例のように、覆蓋５を帯状体４に装着したときに、ドレン排水路４１の底面に接地する、幅１．０〜５ｍｍ（本実施例においては、２ｍｍ）の複数の直線状の支持リブ５５を、５〜１０ｍｍ（本実施例においては、７．５ｍｍ）の間隔で、長手方向に形成することができる。
なお、支持リブ５５は、通水性を考慮して、通常は、ドレン排水路４１の底面に接地せずにドレン排水路４１の底面との間に若干（例えば、０．５〜２ｍｍ）の通水空間を形成するようにし、歩行者が覆蓋５を踏んだときに覆蓋５が沈み込んでドレン排水路４１の底面に接地する長さに形成することもできる。
【００２７】
ところで、この実施例においては、ドレン排水路４１の底面を、小溝４２を除いて平坦に形成したが、図５（ａ）、（ｂ）に示す第３変形実施例のように、横断面で所定の曲率で下方に湾曲させた形状に形成することができる。
ここで、ドレン排水路４１は、その幅寸法に応じて、図５（ａ）に示すように、１つの湾曲面で構成するようにしたり、図５（ｂ）に示すように、２つ（又はそれ以上）の湾曲面で構成することができる。
これにより、ドレン排水路４１に流入したドレン水の水滴がドレン排水路４１の下部に集まるため排水されやすくなり、ドレン水をドレン排水路４１から一層円滑に流出させることができる。
【００２８】
また、小溝４２を含むドレン排水路４１の底面形状は、ドレン排水路４１に流入したドレン水の水滴を小溝４２によって（幅０．５〜２ｍｍの小溝４２の一種の毛細管現象によって）連なりながら速やかに排出させることができる限りにおいて、上記実施例のものに限定されず、図６（ａ）に示す第４変形実施例のように、小溝４２を横断面でＶ字状に形成したり、図６（ｂ）に示す第５変形実施例のように、小溝４２を頂面が曲面の突条で区画、形成するようにすることができる。
【００２９】
ドレン排水溝材１を構成する帯状体４及び覆蓋５の材質は、金属、合成樹脂等、特に限定されるものでないが、好ましくは、軟質、半軟質、硬質の合成樹脂、より好ましくは、塩化ビニル、酢酸ビニル等のビニル系樹脂、ポリエチレン、ポリプロピレン等のオレフィン系樹脂、エチレン−酢酸ビニル等の共重合体樹脂等の熱可塑性樹脂を採用することができる。
特に、熱可塑性樹脂で形成することにより、床シート３と帯状体４との接合がしやすく、施工を簡易に行うことができる。
【００３０】
また、ドレン排水溝材１は、親水性及び／又は防汚性機能剤を含有する塗膜を形成すること等によって、少なくともドレン排水路４１の小溝４２の内面に親水性及び／又は防汚性機能剤を付与するようにしたり、帯状体４を層構成とし、表面層を親水性及び／又は防汚性機能剤を含有する合成樹脂で形成することができる。
ここで、帯状体４を層構成とするには、例えば、帯状体４のドレン排水路４１の表面層を構成する厚さ約０．２ｍｍの合成樹脂層に、親水性機能剤（界面活性剤）を合成樹脂１００重量部に対して２重量部以上混入した合成樹脂を使用し、二層押出成形により成形することができる。なお、表面層の厚さは、これに限定されず、ドレン排水溝材１の使用状況等に応じて、０．２ｍｍより厚くしたり、薄くしたりすることができる。
なお、親水性及び／又は防汚性機能剤を含有する塗膜や表面層は、ドレン排水路４１の小溝４２の内面以外のドレン排水路４１の全体や覆蓋５の内面部全体、さらには、ドレン排水溝材１の表面全体に設けることもできる。
また、親水性及び／又は防汚性機能剤を含有する塗膜や表面層は、ドレン排水溝材１の基材と同種の合成樹脂、若しくは、異種の合成樹脂の場合には、ドレン排水溝材１の基材を構成する合成樹脂と、馴染みのよい合成樹脂を用いるようにする。
また、合成樹脂に塩化ビニル系樹脂を用いた場合、親水性機能剤（界面活性剤）を混入することにより、合成樹脂中に含まれる可塑剤の作用と相俟って、べとつきを生じ、これが、床への貼着性を低下させる要因となるが、帯状体４のドレン排水路４１の表面層を構成する合成樹脂のみに親水性機能剤（界面活性剤）を混入することにより、この問題点を解消することができる。
これにより、低コストで、ドレン水をドレン排水路４１から一層円滑に流出させることができるようにしたり、ドレン排水路４１、特に、小溝４２に汚れや水垢が付着することを防止することができる。
【００３１】
そして、親水性機能剤（界面活性剤）としては、具体的には、多価アルコールと高級脂肪酸類とから誘導された多価アルコール部分エステルを好適に用いることができる。
ここで、多価アルコールとしては、ソルビタン、ペンタエリスリトール、トリメチロールプロパン、グリセリン等を単独で、或いは２種以上を組み合わせて使用することができる。高級脂肪酸としては、炭素数１０乃至２２、特に、１４乃至１８の飽和乃至不飽和脂肪酸、例えば、カプリン酸、ウンデカン酸、ラウリン酸、ミリスチン酸、パルミチン酸、マーガリン酸、ステアリン酸、アラキン酸等の飽和脂肪酸、リンデル酸、ツズ酸、ペトロセリン酸、オレイン酸、リノール酸、リノレン酸、アラキドン酸等の不飽和脂肪酸等が使用することができる。さらに、脂肪酸には、牛脂脂肪酸、ヤシ油脂肪酸、パーム油脂肪酸等の混合脂肪酸を使用することができる。そして、多価アルコール部分エステル系界面活性剤は、単独で、或いは２種以上を組み合わせて用いることができる。このほか、本発明において用いることができる界面活性剤（親水性物質）としては、ポリアクリル酸、ポリメタクリル酸及びこれらの塩類を含むポリアクリル酸塩類、ポリエチレンオキサイド、ポリプロピレングリコール、ポリプロピレンオキサイド等のポリアルキレンオキサイド、ポリ２−ヒドロキシエチルメタクリレート、ポリビニルピロリドン、ポリオキサゾリン、ポリビニルアルコール系、エチレンビニルアルコール共重合体、イソブチレン無水マレイン酸共重合体系、ポリアクリル酸アミド系、ポリオキシエチレン系、ビスコース、ヒドロキシエチルセルロース、ヒドロキシプロピルセルロース、カルボキシメチルセルロースなどのセルロース系、可溶性デンプン、カルボキシメチルデンプン、ジアルデヒドデンプンなどのデンプン系、その他アガロース、ヒアルロン酸等の多糖類系高分子、２−ヒドロキシエチルメタクリレートのモノマーや、デキストラン、アルギン酸、アルギン酸ナトリウム、カラジーナンなどの水溶性高分子、セピオライト、カオリン、シリカゲル、水ガラス等の水溶性無機物、スルホン酸ポリオキシエチレンアルキルフェニルエーテルアンモニウム塩、スルホン酸ポリオキシエチレンアルキルフェニルエーテルナトリウム塩、脂肪酸カリセッケン、脂肪酸ナトリウムセッケン、ジオクチルスルホコハク酸ナトリウム、アルキルサルフェート、アルキルエーテルサルフェート、アルキルサルフェートソーダ塩、アルキルエーテルサルフェートソーダ塩、ポリオキシエチレンアルキルエーテルサルフェート、ポリオキシエチレンアルキルエーテルサルフェートソーダ塩、アルキルサルフェートＴＥＡ塩、ポリオキシエチレンアルキルエーテルサルフェートＴＥＡ塩、２−エチルヘキシルアルキル硫酸エステルナトリウム塩、アシルメチルタウリン酸ナトリウム、ラウロイルメチルタウリン酸ナトリウム、ドデシルベンゼンスルホン酸ナトリウム、スルホコハク酸ラウリル２ナトリウム、ポリオキシエチレンスルホコハク酸ラウリル２ナトリウム、ポリカルボン酸、オレオイルザルコシン、アミドエーテルサルフェート、ラウロイルザルコシネート、スルホＦＡエステルナトリウム塩等のアニオン性界面活性剤；ポリオキシエチレンラウリルエーテル、ポリオキシエチレントリデシルエーテル、ポリオキシエチレンアセチルエーテル、ポリオキシエチレンステアリルエーテル、ポリオキシエチレンオレイルエーテル、ポリオキシエチレンアルキルエーテル、ポリオキシエチレンアルキルエステル、ポリオキシエチレンアルキルフェノールエーテル、ポリオキシエチレンノニルフェニルエーテル、ポリオキシエチレンオクチルフェニルエーテル、ポリオキシエチレンラウラート、ポリオキシエチレンステアレート、ポリオキシエチレンアルキルフェニルエーテル、ポリオキシエチレンオレエート、ソルビタンアルキルエステル、ポリオキシエチレンソルビタンアルキルエステル、ポリエーテル変性シリコーン、ポリエステル変性シリコーン、ソルビタンラウラート、ソルビタンステアレート、ソルビタンパルミテート、ソルビタンセスキオレエート、ソルビタンオレエート、ポリオキシエチレンソルビタンラウラート、ポリオキシエチレンソルビタンステアレート、ポリオキシエチレンソルビタンパルミテート、ポリオキシエチレンソルビタンオレエート、グリセロールステアレート、ポリグリセリン脂肪酸エステル、アルキルアルキロールアミド、ラウリン酸ジエタノールアミド、オレイン酸ジエタノールアミド、オキシエチレンドデシルアミン、ポリオキシエチレンドデシルアミン、ポリオキシエチレンアルキルアミン、ポリオキシエチレンオクタデシルアミン、ポリオキシエチレンアルキルプロピレンジアミン、ポリオキシエチレンオキシプロピレンブロックポリマー、ポリオキシエチレンステアレート等のノニオン性界面活性剤；ジメチルアルキルベタイン、アルキルグリシン、アミドベタイン、イミダゾリン等の両性界面活性剤；オクタデシルジメチルベンジルアンモニウムクロライド、アルキルジメチルベンジルアンモニウムクロライド、テトラデシルジメチルベンジルアンモニウムクロライド、ジオレイルジメチルアンモニウムクロライド、１−ヒドロキシ−２−アルキルイミダゾリン４級塩、アルキルイソキノリニウムブロマイド、高分子アミン、オクタデシルトリメチルアンモニウムクロライド、アルキルトリメチルアンモニウムクロライド、ドデシルトリメチルアンモニウムクロライド、ヘキサデシルトリメチルアンモニウムクロライド、ベヘニルトリメチルアンモニウムクロライド、アルキルイミダゾリン４級塩、ジアルキルジメチルアンモニウムクロライド、オクタデシルアミン酢酸塩、テトラデシルアミン酢酸塩、アルキルプロピレンジアミン酢酸塩、ジデシルジメチルアンモニウムクロライド等のカチオン性界面活性剤等がある。
【００３２】
このドレン排水溝材１は、図２に示すように、帯状体４を、廊下やベランダの床２に貼着される合成樹脂、リノリューム、ゴム等からなる床シート３と縁部同士を当接又は接合して床２に貼着するとともに、覆蓋５を装着して使用される。
冷暖房屋内機で発生したドレン水は、ドレンパイプ６を介してドレン貯留ブロック７に落下し、ドレン水が溢れ出ない状態でドレン貯留ブロック７に接続されているドレン排水溝材１の帯状体４のドレン排水路４１に流入する。ここで、ドレン貯留ブロック７は、ドレン水の室内への逆流を防止する手段であり、これに関する技術は数多く公知化されており特に限定されるものではない。
そして、ドレン排水路４１に流入したドレン水の水滴は、小溝４２によって（幅０．５〜２ｍｍの小溝４２の一種の毛細管現象によって）連なりながら速やかに排出されることから、ドレン水の量の多少に関わらず、ドレン水をドレン排水路４１から、廊下やベランダに形成されている排水側溝２１に円滑に流出する。
このように、このドレン排水溝材１は、ドレン水の量の多少に関わらず、ドレン水をドレン排水路４１から円滑に流出させることができ、ドレン水が多量の場合でも外部への溢流を防止することができることに加え、帯状体４に覆蓋５を装着して使用されるため、歩行によるドレン水の飛び散りをなくし、床面の汚れや滑りを防止することができる。
【００３３】
以上、本発明のドレン排水溝材について、その実施例に基づいて説明したが、本発明は上記実施例に記載した構成に限定されるものではなく、その趣旨を逸脱しない範囲において適宜その構成を変更することができる。例えば、表面層を構成する合成樹脂に親水性機能剤（界面活性剤）を混入することに代えて、表面層を構成する合成樹脂に、エチレンビニルアルコールやポリビニルアルコール等の水酸基を有する親水性に優れた合成樹脂を用いるようにすることができる、この場合、特に、エチレンビニルアルコールは、熱可塑性樹脂であることから、ドレン排水溝材を構成する基材の材料に熱可塑性樹脂を選択することにより、二層押出成形が可能になり、これにより、表面層を含むドレン排水溝材を一体成形により形成することによって、ドレン排水溝材を１工程で製造することができるものとなる。また、ドレン排水溝材を構成する基材に、親水性機能剤（界面活性剤）を混入してなる合成樹脂系塗料（親水性機能剤（界面活性剤）の種類や混入割合は、上記実施例と同様である。）や親水性の合成樹脂系塗料を塗布することにより表面層を形成するようにしたり、さらに、塗布後、熱、紫外線等の電磁波、電子線等の放射線等によって強固に固定させることもできる。この場合、ドレン排水溝材１の基材を構成する合成樹脂にオレフィン系樹脂を用いた場合には、プライマー層を介して、表面層を形成するようにする等、ドレン排水溝材１の基材と表面層の接着性を考慮する必要がある。
【産業上の利用可能性】
【００３４】
本発明のドレン排水溝材は、ドレン水の量の多少に関わらず、ドレン水をドレン排水路から円滑に流出させることができることから、廊下やベランダの床に適用されるドレン排水溝材に好適に用いることができる。
【図面の簡単な説明】
【００３５】
【図１】本発明のドレン排水溝材の一実施例を示し、（ａ）は覆蓋を外した状態を示す断面図、（ｂ）は覆蓋を装着した状態を示す断面図である。
【図２】本発明のドレン排水溝材を廊下やベランダの床に適用した状態を示す説明図である。
【図３】本発明のドレン排水溝材の第１変形実施例を示す断面図である。
【図４】本発明のドレン排水溝材の第２変形実施例を示す断面図である。
【図５】本発明のドレン排水溝材の第３変形実施例を示す断面図である。
【図６】本発明のドレン排水溝材のドレン排水路を示し、（ａ）は第４変形実施例を示す断面図、（ｂ）は第５変形実施例を示す断面図である。
【符号の説明】
【００３６】
１    ドレン排水溝材
２    床
２１  排水側溝
３    床シート
４    帯状体
４１  ドレン排水路
４２  小溝
４３  係止部
４４ａ  係止部
４４ｂ  係止部
５    覆蓋
５１  脚部
５２  突条
５３  係止部
５４ａ  係止部
５４ｂ  係止部
５５  支持リブ
６    ドレンパイプ
７    ドレン貯留ブロック
【図１】
2007315121.tif 000003
【図２】
2007315121.tif 000004
【図３】
2007315121.tif 000005
【図４】
2007315121.tif 000006
【図５】
2007315121.tif 000007
【図６】
2007315121.tif 000008